(57)【要約】【課題】建築物内等でケーブルを上層階側から下層階側に繰り出し延線するときのケーブルの落下速度を加速させることなく一定速度に調整制御できるようにする。【解決手段】器枠ベース１に、ケーブルＣ外径に相当する間隔に設定して降下するケーブルＣを挟み込む  ケーブル挟持機構１０と、ケーブル挟持機構１０による送出速度を調整制御する制動機構４０とを設ける。ケーブル挟持機構１０は、固定ローラー１２と、この固定ローラー１２に対して間隔をスライド調整して、固定ローラー１２と同期回転するスライドローラー２２とを備える。制動機構４０は、固定ローラー１２を支持している固定ローラー軸１３を、この固定ローラー軸１３に連繋してあることで同期回転するブレーキ手段５０のブレーキパッド５１をこのブレーキパッド５１に圧接するブレーキシュー５２を制御することで所定の速度に抑制するよう減速させ、降下速度を調整する。【選択図】図２
2019165560.tif 000002
【特許請求の範囲】
【請求項１】
上層階側から下層階側に所定のケーブルを降下通線させる際の操出ケーブル用加速防止の張力調整装置であって、所定箇所に据え付けられる器枠ベースに、繰り出されるケーブルをそのケーブル外径に相当する間隔に設定されて挟み込むケーブル挟持機構と、このケーブル挟持機構による降下速度を調整制御する制動機構とを設けてなり、ケーブル挟持機構は、固定されて回転する固定ローラー、この固定ローラーに対して間隔が調整されてスライドされ、固定ローラーと同期回転されるスライドローラーを備え、制動機構は、固定ローラーを支持している固定ローラー軸を、この固定ローラー軸に連繋してあることで同期回転するブレーキ手段のブレーキパッドをこのブレーキパッドに圧接するブレーキシューを制御することで所定の降下速度に抑制するよう減速させ、固定ローラー、スライドローラー相互間で挟み込むケーブルの降下速度を調整するようにしてあることを特徴とする操出ケーブル用加速防止の張力調整装置。
【請求項２】
ブレーキ手段は、器枠ベースに支承された制動軸と、固定ローラーと同期回転するよう制動軸に設けたドラム状のブレーキパッドと、器枠ベースに設けた制動操作部の操作で外方に向かって移動してブレーキパッドの内周面に圧接されるよう制動軸の周囲に設けてブレーキパッドの内周に配したブレーキシューとを備える請求項１に記載の操出ケーブル用加速防止の張力調整装置。
【請求項３】
ブレーキパッドは、制動軸に設けた制動スプロケット歯車に固着されている伝動盤に固定されていて、制動スプロケット歯車は、固定ローラー軸に固着されている被制動スプロケット歯車と制動チェーンによって掛巡して同期回転するようにしてある請求項１または２に記載の操出ケーブル用加速防止の張力調整装置。
【請求項４】
ブレーキシューは、制動操作部の操作によって揺動牽引されるスイングアームに一体状に形成されて、制動軸に嵌め合わせてあるカム盤と、このカム盤の周囲に配されて、カム盤の回転によって内外方向に沿って移動されることでブレーキシューをその内周から拡開あるいは縮小させる複数の転動コロとによって、ブレーキパッドに圧接あるいは離反されるようにしてある請求項１乃至３のいずれかに記載の操出ケーブル用加速防止の張力調整装置。
【請求項５】
制動軸に固着した制動スプロケット歯車と、固定ローラー軸に固着されている被制動スプロケット歯車との間で掛巡した制動チェーンによって制動軸と固定ローラー軸とは同期回転するようにしてある請求項２乃至４のいずれかに記載の操出ケーブル用加速防止の張力調整装置。
【請求項６】
制動操作部は、器枠ベースに進退自在にねじ込まれた調整ネジと、この調整ネジによって揺動されるよう器枠ベースに揺動自在に支持された揺動アームと、この揺動される揺動アームによって牽引あるいは押し戻され、カム盤に一体形成のスイングアームに連繋されているリンクバーとを備えて成る請求項４または５に記載の操出ケーブル用加速防止の張力調整装置。
【発明の詳細な説明】
【技術分野】
【０００１】
本発明は、例えばビルその他の多層階の建築物において、上層階側から下層階側に順次にケーブルを操出配線するとき、ケーブル自重その他によって急激にケーブルが降下するのを防止し、適度な降下速度となるように調整制御できるようにした操出ケーブル用加速防止の張力調整装置に関する。
【背景技術】
【０００２】
従来から、多層階の建築物内に階層に跨がってケーブル類等を配線するには、下層階から上層階にケーブルを持ち上げるとなると、ケーブル自体が相当な重量を有するために極めて面倒で困難である。そのため、上層階側から下層階側にケーブルを吊り下げるように順次に繰り出し、下層階側でこれを受け止めて順次に敷設するものとしている。
【０００３】
ところが、このように上層階側からケーブルを降下することで敷設すると、ケーブル自体が相当な重量を有するために、ある程度の長さを繰り出してしまうと操出部分の自重による自然落下に伴い急激にケーブルが繰り出され、ケーブル自体が損傷したり、作業者を傷つけたりする等の事故が生じ、通線作業を安全に実施できないことがあった。
【０００４】
これを解消すべく、例えば特許文献１に示される中高層ビルにおける垂直幹線の延線工法及びこれに使用する装置が提案されている。この工法・装置は、高層階に配した速度制御装置付きの繰り出しドラム装置から速度制御しながらケーブルを繰り出し落下させ、複数で設けたケーブル速度制御装置にケーブルを通し、その自重負荷を分担しながら上から下方の各階に延線するとする。
【先行技術文献】
【特許文献】
【０００５】
【特許文献１】特開２０１１−１８８５６３号公報
【発明の概要】
【発明が解決しようとする課題】
【０００６】
この特許文献１におけるケーブル速度制御装置は、相対向して設けた回転する無端ベルトから成る一対のキャタピラの間にケーブルを挟んで通すものとし、キャタピラの少なくとも一つに速度制御ブレーキを設けてケーブルの落下速度を制御するようにしている。ただ、一対のキャタピラ相互はリンク片によって閉鎖傾向に連結されていても、落下するケーブルを強固に挟み込まなければ自然落下の速度は十分に制御できない。また、一方のキャタピラの回転速度を速度制御ブレーキで制御することでキャタピラの回転速度に対応した落下速度とするとしても、ケーブル自重による滑りがキャタピラ相互間に生じるからケーブルの落下速度を設定した速度に対応させるのは困難である。
【０００７】
そこで本発明は叙上のような従来存した諸事情に鑑み創出されたもので、その目的は多層階のビルその他で、ケーブルを上層階側から下層階側にケーブルを繰り出して延線するときのケーブルの落下速度を加速させることなく一定速度に調整制御し、安全に延線作業を実施できるようにした操出ケーブル用加速防止の張力調整装置を提供することにある。
【課題を解決するための手段】
【０００８】
上述した課題を解決するため、本発明にあっては、上層階側から下層階側に所定のケーブルを降下通線させる際の操出ケーブル用加速防止の張力調整装置であって、所定箇所に据え付けられる器枠ベース１に、繰り出されるケーブルＣをそのケーブルＣ外径に相当する間隔に設定されて挟み込むケーブル挟持機構１０と、このケーブル挟持機構１０による降下速度を調整制御する制動機構４０とを設けてなり、ケーブル挟持機構１０は、固定されて回転する固定ローラー１２、この固定ローラー１２に対して間隔が調整されてスライドされ、固定ローラー１２と同期回転されるスライドローラー２２を備え、制動機構４０は、固定ローラー１２を支持している固定ローラー軸１３を、この固定ローラー軸１３に連繋してあることで同期回転するブレーキ手段５０のブレーキパッド５１をこのブレーキパッド５１に圧接するブレーキシュー５２を制御することで所定の降下速度に抑制するよう減速させ、固定ローラー１２、スライドローラー２２相互間で挟み込むケーブルＣの降下速度を調整するようにしてあることを特徴とする。
ブレーキ手段５０は、器枠ベース１に支承された制動軸４４と、固定ローラー１２と同期回転するよう制動軸４４に設けたドラム状のブレーキパッド５１と、器枠ベース１に設けた制動操作部６１の操作で外方に向かって移動してブレーキパッド５１の内周面に圧接されるよう制動軸４４の周囲に設けてブレーキパッド５１の内周に配したブレーキシュー５２とを備えることで構成することができる。
ブレーキパッド５１は、制動軸４４に設けた制動スプロケット歯車４５に固着されている伝動盤４８に固定されていて、制動スプロケット歯車４５は、固定ローラー軸１３に固着されている被制動スプロケット歯車４６と制動チェーン４７によって掛巡して同期回転するように構成することができる。
ブレーキシュー５２は、制動操作部６１の操作によって揺動牽引されるスイングアーム５３に一体状に形成されて、制動軸４４に嵌め合わせてあるカム盤５４と、このカム盤５４の周囲に配されて、カム盤５４の回転によって内外方向に沿って移動されることでブレーキシュー５２をその内周から拡開あるいは縮小させる複数の転動コロ５５とによって、ブレーキパッド５１に圧接あるいは離反されるようにして構成することができる。
制動軸４４に固着した制動スプロケット歯車４５と、固定ローラー軸１３に固着されている被制動スプロケット歯車４６との間で掛巡した制動チェーン４７によって制動軸４４と固定ローラー軸１３とは同期回転するようにして構成することができる。
制動操作部６１は、器枠ベース１に進退自在にねじ込まれた調整ネジ６２と、この調整ネジ６２によって揺動されるよう器枠ベース１に揺動自在に支持された揺動アーム６３と、この揺動される揺動アーム６３によって牽引あるいは押し戻され、前記カム盤５４に一体形成のスイングアーム５３に連繋されているリンクバー６４とを備えて成る。
【０００９】
以上のように構成された本発明に係る操出ケーブル用加速防止の張力調整装置にあって、所定のケーブルＣを例えば上層階側から下層階側に降下させて通線するに際し、通線途中の通線箇所で案内させるケーブルＣを挟み込んだ状態で降下させるとき、制動機構４０で降下速度を適宜に制御させることで、ケーブルＣを所定階に安全に通線させる。
ケーブル挟持機構１０は、通線させるケーブルＣ外径の大小に対応して固定ローラー１２、スライドローラー２２相互の間隔を調整設定させ、両ローラー１２，２２相互間でケーブルＣをしっかりと挟み込ませる。
制動機構４０は、ケーブル挟持機構１０によって挟み込んだケーブルＣを固定ローラー１２及びこれに同期回転するスライドローラー２２の回転を調整制御して、降下するケーブルＣが例えばその自重その他によって降下速度が増大するのを阻止し、所定の降下速度に調整させて安全に通線させる。
器枠ベース１に設けた制動操作部６１の操作は、ブレーキ手段５０におけるブレーキパッド５１に対するブレーキシュー５２の圧接作用を制御することで、ブレーキパッド５１、伝動盤４８、制動スプロケット歯車４５、制動チェーン４７、被制動スプロケット歯車４６、固定ローラー軸１３を介して固定ローラー１２の回転を制動し、スライドローラー２２との間で挟み込み降下させるケーブルＣの操出速度を調整させる。
制動操作部６１は、調整ネジ６２のねじ込み進退に対応して、揺動アーム６３、リンクバー６４、スイングアーム５３を介してカム盤５４を所定角度で揺動させ、この揺動は転動コロ５５によってブレーキシュー５２を拡開あるいは縮小させてブレーキパッド５１に圧接させあるいはブレーキパッド５１から離反させ、ブレーキパッド５１への圧接力の大小で固定ローラー軸１３、固定ローラーの回転作用を制動し、スライドローラー２２と共にケーブルＣの送出速度を調整させる。
【発明の効果】
【００１０】
本発明は以上説明したように構成されているため、例えばビルその他の建築物等で上層階側から下層階側に所定のケーブルＣを降下させて通線するとき、ケーブル挟持機構１０によって挟み込むケーブルＣに対して例えばケーブルＣ自重によって降下速度が加速増大されるのを防止し、適度な降下速度に調整制御することができる。すなわち、固定ローラー１２に制動装置４０が繋がっていて、ブレーキ手段５０によって制動制御することで固定ローラー１２と、同期チェーン１６によって回転するスライドローラー２２とが同期して回転速度を制御し、降下速度を調整することができる。
【００１１】
また、ケーブル挟持機構１０は、ケーブルＣを挟み込んで相互に同期回転する固定ローラー１２、スライドローラー２２を備えるところ、ブレーキ手段５０は、固定ローラー１２と同期回転するよう制動軸４４に設けたブレーキパッド５１の内周面に圧接されるブレーキシュー５２を備えていることで、ブレーキシュー５２によるブレーキパッド５１への圧接制御によって、固定ローラー１２、スライドローラー２２の挟み込みによる送出速度をケーブルＣの降下時の張力を調整させることで設定でき、通線作業を安全に遂行できる。
【００１２】
ブレーキパッド５１は、制動軸４４に設けた制動スプロケット歯車４５に固着されている伝動盤４８に固定されていて、制動スプロケット歯車４５は、固定ローラー軸１３に固着されている被制動スプロケット歯車４６と制動チェーン４７によって掛巡して同期回転するようにしてあるので、ブレーキシュー５２のブレーキパッド５１の圧接によるブレーキパッド５１の回転制御は固定ローラー軸１３の回転をも同期して制御し、ブレーキシュー５２に対する制御作動は確実に伝達される。
【００１３】
ブレーキシュー５２は、制動操作部６１によって揺動牽引されるスイングアーム５３に一体状で制動軸４４に嵌め合わせたカム盤５４と、このカム盤５４の周囲に配されてブレーキシュー５２をその内周から拡開あるいは縮小させる複数の転動コロ５５とによって、ブレーキパッド５１に圧接あるいは離反されるようにしてある。こうすることで、ブレーキシュー５２のブレーキパッド５１への圧接作用の強弱・大小によってその制動力を調整でき、固定ローラー１２、スライドローラー２２による各種のケーブルＣ更には降下距離、設置位置その他に対応する据付箇所それぞれにおける降下速度をそれぞれで微調整して設定することもできる。
【００１４】
制動操作部６１は、進退自在な調整ネジ６２によって揺動アーム６３を揺動させることで揺動アーム６３によってリンクバー６４を牽引あるいは押し戻し、カム盤５４に一体形成のスイングアーム５３を揺動するようにしてあることで、調整ネジ６２の正逆方向のねじ回転によって揺動アーム６３、リンクバー６４、スイングアーム５３を介してカム盤５４を自在に揺動回転でき、しかもそのねじ回転はよってカム盤５４の揺動回転に対応するから、転動コロ５５の内外方向に沿う移動に伴うブレーキパッド５１へのブレーキシュー５２の圧接力の大小を調整制御でき、また調整した回転角度を維持し、ひいてはケーブル挟持機構１０によるケーブルＣに対する一定の送出速度を維持することができる。
【００１５】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１６】
【図１】本発明を実施するための一形態を示す斜視図である。
【図２】同じく縦断面図である。
【図３】同じくケーブル挟持機構におけるスライドローラーの移動調整構成を示す平断面図である。
【図４】同じくケーブル挟持機構におけるスライドローラー軸と固定ローラー軸との伝動構成を平断面図である。
【図５】同じく制動機構の平断面図である。
【図６】同じく制動機構を示す縦断面図である。
【図７】同じく制動機構における制動時の要部平断面図である。
【図８】同じく制動機構における解除時の一部の拡大図を含む要部平断面図である。
【図９】同じく使用状態の一例を示す概要図である。
【発明を実施するための形態】
【００１７】
以下、図面を参照して本発明を実施するための一形態を説明すると、図において示される符号１はボックス状に形成されている器枠ベースであり、この器枠ベース１にはケーブル挟持機構１０と制動機構４０とが設けられている。ケーブル挟持機構１０は、例えばビルその他の建築物内に配線される各種ケーブルＣが上層階に配置されたケーブルドラムＤから下層階側に降下させる延線作業において、ケーブルＣが順次繰り出されるとき、そのケーブルＣ径に対応して挟み込み間隔を調整させることで送り出し、また降下させるようにしている。制動機構４０は、ケーブル挟持機構１０でケーブルＣを挟み込み送り出すとき、降下時等のケーブルＣの自重等に伴い生じる加速を防止するためケーブルＣを適宜な操出速度に制御制動してケーブルＣの降下速度を調整するようにしている。
【００１８】
器枠ベース１自体は、ほぼ直方体状に形成されていて、図示を省略した設置ベース・取付台等によって例えば建築物屋上等の床面に、階層それぞれの壁面等に固定配置されるようにしてある。ケーブル挟持機構１０は、この器枠ベース１の上面に配置されていて、器枠ベース１上で前後に配した送出ローラー４と共に、所定のケーブルＣを引き入れ、繰り出すようにして例えばケーブルドラムＤから繰り出され降下するケーブルＣを挟み込むようにしている。制動機構４０は、器枠ベース1の内部に収納構成されていて、器枠ベース１の外部に配した後述の制動操作部６１における調整ネジ６２の操作で制動力の強弱を設定することで、降下速度を調整できるようにしてある。
【００１９】
ケーブル挟持機構１０は、器枠ベース１の上面に配したローラーベース１１と、このローラーベース１１に固定配置されて回転する固定ローラー１２と、この固定ローラー１２に対して接近あるいは離反するようスライド可能で固定ローラー１２との間隔が調整されて、固定ローラー１２と同期回転するように配置したスライドローラー２２と、スライドされるスライドローラー２２を支持しているスライドブロック３２を移動調整させる移動調整手段３１とを備えて成る。
【００２０】
ローラーベース１１は、器枠ベース１の長手方向に沿って配した平面でほぼ長方形状を呈し、下方を開放した断面で溝形状に形成されて器枠ベース１上に固定されており、長手方向の一端部に固定ローラー１２が固定され、他端部に固定ローラー１２に対して、ケーブルＣに対応して間隔が調整されるように長手方向に沿ってスライドされるスライドローラー２２を配置してある。
【００２１】
ケーブルＣを挟持するローラーである固定ローラー１２、スライドローラー２２は、図示のようにいずれも外周面には鉛直方向に沿って配した突条を有して所定の摩擦係数を備えた所定の硬度を有する軟弾性合成樹脂材にて中空ボール状に形成されていて、同期回転するこれら固定ローラー１２、スライドローラー２２によって挟み込んだケーブルＣを所定の降下速度に調整できるようにしている。
【００２２】
そして、固定ローラー１２は、図２に示すように器枠ベース１の底壁２、上壁３相互間に軸受等で鉛直状に支承されている固定ローラー軸１３に、ローラーベース１１上に位置させて支承した鼓形状の固定ローラー支持部１４に固定ローラー１２が覆うようにすることで、支持されている。
【００２３】
また、スライドローラー２２は、同じく図２に示すように移動調整手段３１におけるスライドブロック３２に、鉛直状に支承されているスライドローラー軸２３に支承した鼓形状のスライドローラー支持部２４に同様にスライドローラー２２が覆うようにすることで、支持されている。なお、図示のように、スライドローラー軸２３は、ローラーベース１１の下部に配されて、スライドブロック３２に連繋されている側面Ｌ字形状のアンダーベース３３にも軸受を介して支承されていることで、立脚状の鉛直性が維持されている。
【００２４】
固定ローラー１２とスライドローラー２２とは、図４に示すように互いに逆方向で同期回転するように固定ローラー軸１３、スライドローラー軸２３それぞれに固着した固定スプロケット歯車１５、スライドスプロケット歯車２５それぞれに同期チェーン１６を、固定ローラー軸１３に固着した固定スプロケット歯車１５には内周で、スライドローラー軸２３に固着したスライドスプロケット歯車２５には外周で掛け渡すようにして掛巡してある。すなわち、図４に示すようにスライドスプロケット歯車２５への同期チェーン１６の外周の掛け渡しは、スライドスプロケット歯車２５の外方位置で対状に支承した移動反転スプロケット歯車１７、固定反転スプロケット歯車１８それぞれによって内周で掛け渡し、これらの移動反転スプロケット歯車１７、固定反転スプロケット歯車１８相互間では同期チェーン１６の外周がスライドスプロケット歯車２５に噛み合うようにして固定ローラー軸１３、スライドローラー軸２３が相互に逆回転するように掛巡してある。
【００２５】
また、移動反転スプロケット歯車１７はアンダーベース３３に支承されていることでスライドローラー軸２３と共に移動するようになっており、固定反転スプロケット歯車１８はローラーベース１１に移動しないものとして支承されている。そして、前述したようにこれらの移動反転スプロケット歯車１７、固定反転スプロケット歯車１８それぞれは、スライドローラー軸２３のスライドスプロケット歯車２５に対して固定ローラー軸１３側の外方に位置させてあって、同期チェーン１６の内周側で噛み合うと共に、同期チェーン１６の外周がスライドスプロケット歯車２５に噛み合うようにしてある。
【００２６】
こうすることで、固定ローラー軸１３の固定スプロケット歯車１５には同期チェーン１６の内周が噛み合っていることで、固定ローラー軸１３、スライドローラー軸２３が相互に逆回転する。そしてまた、固定ローラー１２とスライドローラー２２との間隔が調整されるように、スライドローラー軸２３が固定ローラー軸１３に対してスライドするとき、これらの相互の間隔に広狭が生じても同期チェーン１６は弛緩せず、常時一定のテンションが維持されるようにしてある。
【００２７】
移動調整手段３１は、図２、図３に示すようにスライドローラー２２を支持しているスライドローラー軸２３を支承するスライドブロック３２と、ローラーベース１１内にローラーベース１１の長手方向に沿って回転自在に支承してあって、スライドブロック３２がねじ合わせられている送りネジ３４と、同じくローラーベース１１の長手方向に沿って送りネジ１９に平行に配置してあって、スライドブロックが３２に挿通されているガイドシャフト３６とを備えて成る。また、送りネジ３４には、ローラーベース１１外に位置させて操作頭部３５を固定してあって、この操作頭部３５に対するねじ回し操作によって送りネジ３４自体を回転させることでスライドブロック３２を前後にスライドさせ、スライドローラー２２と固定ローラー１２との間隔をケーブルＣ径に対応して調整、設定できるようにしてある。
【００２８】
制動機構４０は、図５乃至図８に示すように前記固定ローラー軸１３を直接にあるいは間接にブレーキ手段５０によって制動することで固定ローラー１２更にはスライドローラー２２の回転速度を調整することで制御するものとしてある。図示にあっては、固定ローラー軸１３を、この固定ローラー軸１３に連繋してあることで同期回転するブレーキ手段５０のブレーキパッド５１をこのブレーキパッド５１に圧接するブレーキシュー５２を制御することで所定の速度に抑制・制御するよう減速させ、固定ローラー１２、スライドローラー２２相互間で挟み込むケーブルＣの降下速度を制動するようにしてある。
【００２９】
すなわち、ブレーキ手段５０は、器枠ベース１に支承された制動軸４４と、固定ローラー軸１３と同期回転するよう制動軸４４に設けたドラム状のブレーキパッド５１と、器枠ベース１の外部からの操作で外方に向かって移動してブレーキパッド５１の内周面に圧接されるよう制動軸４４の周囲に設けてブレーキパッド５１の内周に配したブレーキシュー５２とを備えて成る。
【００３０】
また、制動機構４０自体は、図２に示すように器枠ベース１内で支持されている支持軸４１、この支持軸４１に固定されている支持アーム４２によって、例えば器枠ベース１のほぼ中央位置で支持されている平面で円形状を呈するほぼ扁平ボックス状のブレーキベース４３によって配置固定されており、器枠ベース１の外部からの後述の制動操作部６１に対する操作で制動力が調整されるようにしてある。
【００３１】
制動軸４４は、器枠ベース１における底壁２、上壁３相互間で、前記固定ローラー軸１３と平行になるように鉛直方向に沿ってブレーキベース４３にも支承されている。そして、この制動軸４４には、制動スプロケット歯車４５が嵌め合わせあるいは固着されることで設けられていて、この制動スプロケット歯車４５と固定ローラー軸１３に固着されている被制動スプロケット歯車４６との間で掛巡した制動チェーン４７によって制動スプロケット歯車４５と固定ローラー軸１３とは同期回転するようにしてある。こうすることで、制動スプロケット歯車４５に対する制動作用は、制動チェーン４７、被制動スプロケット歯車４６を介して固定ローラー軸１３の回転を制動制御することになる。
【００３２】
ブレーキパッド５１は、前記ブレーキベース４３に収納される扁平円筒状に形成されていて、前記制動スプロケット歯車４５に固着されている伝動盤４８に固定されている。そして、ブレーキパッド５１の内周側で外方に拡開されることでブレーキパッド５１に圧接するブレーキシュー５２がブレーキパッド５１の内周に配置されている（図６参照）。このブレーキシュー５２は、器枠ベース１の外部に設けられている制動操作部６１の操作によって揺動牽引されるスイングアーム５３に一体状に形成されて、制動軸４４に嵌め合わせてあるカム盤５４と、このカム盤５４の周囲に配されて、カム盤５４の回転によって内外方向に沿って移動されることでブレーキシュー５２をその内周から拡開あるいは縮小させる複数の転動コロ５５とによって、ブレーキパッド５１に圧接あるいは離反されるようにしてある。
【００３３】
カム盤５４は、図７、図８に示すようにほぼ円盤状に形成されていて、外周面に内外方向で傾斜している複数の作動外縁と、この作動外縁相互間に配された複数の窪み縁とを備え、作動外縁とブレーキシュー５２との間に転動コロ５５を当接介在させてあって、カム盤５４自体の正逆方向の回転で転動コロ５５がブレーキシュー５２を拡開あるいは縮小させるようにしている。すなわち、ブレーキシュー５２の拡開は、ブレーキパッド５１の内周に圧接させて（図７参照）固定ローラー１２を制動し、ブレーキシュー５２の縮小はブレーキパッド５１からブレーキシュー５２を離反させて（図８参照）固定ローラー１２がフリーに回転するようになる。なお、符号５６は、転動コロ５５相互間に介装された中間体である。
【００３４】
このカム盤５４の揺動回転によって、固定ローラー軸１３ひいては固定ローラー１２の回転を調整制御するのであり、カム盤５４自体の揺動回転は制動操作部６１の操作によって行われる。制動操作部６１は、図５に示すように例えば器枠ベース１内に配装されており、器枠ベース１に進退自在にねじ込まれた調整ネジ６２と、この調整ネジ６２によって揺動されるよう器枠ベース１に揺動自在に支持された揺動アーム６３と、この揺動される揺動アーム６３によって牽引あるいは押し戻され、前記カム盤５４に一体形成のスイングアーム５３に連繋されているリンクバー６４とを備えて成る。
【００３５】
調整ネジ６２は、例えば器枠ベース１の側壁に器枠ベース１の外部からねじ込まれていて、器枠ベース１の外側に露出している調整ネジ６２自体の頭部に設けた摘まみの回転によって調整ネジ６２を進退できるようにしてある。また、摘まみの回転量は例えば器枠ベース１の側部面に表示してある制動力目盛の数値に対応するようにしてある。
【００３６】
揺動アーム６３は、器枠ベース１の鉛直方向に沿って立脚支持されている揺動支持柱６５に揺動アーム６３自体のほぼ半ば位置でシーソー状に支持されていて、揺動アーム６３の一端には調整ネジ６２の先端が当接し、他端にはリンクバー６４が連繋されている。
【００３７】
こうすることで、調整ネジ６２の所定量の前進は揺動アーム６３の一端を前進させると同時に揺動アーム６３の他端を逆方向に後退させ、スイングアーム５３を牽引することで前記カム盤５４を所定角度で揺動させる。この揺動範囲に対応して転動コロ５５が外方に移動してブレーキシュー５２を拡開させてブレーキパッド５１に所定圧で圧接させることになり、これに対応して伝動盤４８、制動スプロケット歯車４５、制動チェーン４７、被制動スプロケット歯車４６、固定ローラー軸１３を介して固定ローラー１２を制動し、スライドローラー２２と共にケーブルＣを通線させるときの落下速度を所定の速度に制御するようにしてある。
【００３８】
次にこれの使用の一例を説明すると、図９に示すように、例えばビルその他で所定のケーブルＣを各階層に通線するとき、上層階、屋上等にケーブルドラムＤを配置し、このケーブルドラムＤから所定のケーブルＣを下層階側に繰り出すものとしている。このような場合に、本発明の張力調整装置を例えばケーブルドラムＤの設置階、下層階側の壁面・床面その他に所定の取付台によって所定間隔毎に固定配置しておき、ケーブルＣ径等に対応させてケーブル挟持機構１０における固定ローラー１２とスライドローラー２２との間隔を移動調整手段２１の操作によって調整する。次いで、繰り出されるケーブルＣを順次に本発明の張力調整装置に挿通させ、必要以上のケーブルＣの落下速度にならないように制動機構４０による制動調整によって所定の降下速度になるように調整制御すれば良いのである。
【００３９】
なお、図示例にあっては、上層階の平坦場所から鉛直方向に降下される角部位等の降下部位における接触負荷を軽減させるためケーブルドラムジャッキＰ、あるいは図示を省略したエフレックスを使用しており、また、上層階側では本発明張力調整装置を複数連で設置することで、上層階側における多大な負荷に対応できるようにする。もとより、降下させるケーブルＣの重量によって設置台数、設置箇所、設置間隔その他が異なるのであり、作業現場の状況によってこれらは適宜に選択、設定される。
【符号の説明】
【００４０】
Ｃ…ケーブル
Ｄ…ケーブルドラム
Ｐ…ケーブルドラムジャッキ
１…器枠ベース
２…底壁
３…上壁
４…送出ローラー
１０…ケーブル挟持機構
１１…ローラーベース
１２…固定ローラー
１３…固定ローラー軸
１４…固定ローラー支持部
１５…固定スプロケット歯車
１６…同期チェーン
１７…移動反転スプロケット歯車
１８…固定反転スプロケット歯車
２２…スライドローラー
２３…スライドローラー軸
２４…スライドローラー支持部
２５…スライドスプロケット歯車
３１…移動調整手段
３２…スライドブロック
３３…アンダーベース
３４…送りネジ
３５…操作頭部
３６…ガイドシャフト
４０…制動機構
４１…支持軸
４２…支持アーム
４３…ブレーキベース
４４…制動軸
４５…制動スプロケット歯車
４６…被制動スプロケット歯車
４７…制動チェーン
４８…伝動盤
５０…ブレーキ手段
５１…ブレーキパッド
５２…ブレーキシュー
５３…スイングアーム
５４…カム盤
５５…転動コロ
５６…中間体
６１…制動操作部
６２…調整ネジ
６３…揺動アーム
６４…リンクバー
６５…揺動支持柱
【図１】
2019165560.tif 000003
【図２】
2019165560.tif 000004
【図３】
2019165560.tif 000005
【図４】
2019165560.tif 000006
【図５】
2019165560.tif 000007
【図６】
2019165560.tif 000008
【図７】
2019165560.tif 000009
【図８】
2019165560.tif 000010
【図９】
2019165560.tif 000011
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
上層階側から下層階側に所定のケーブルを降下通線させる際の操出ケーブル用加速防止の張力調整装置であって、所定箇所に据え付けられる器枠ベースに、繰り出されるケーブルをそのケーブル外径に相当する間隔に設定されて挟み込むケーブル挟持機構と、このケーブル挟持機構による降下速度を調整制御する制動機構とを設けてなり、ケーブル挟持機構は、固定されて回転する固定ローラー、この固定ローラーに対して間隔が調整されてスライドされ、固定ローラーと同期回転されるスライドローラーを備え、制動機構は、固定ローラーを支持している固定ローラー軸を、この固定ローラー軸に連繋してあることで同期回転するブレーキ手段のブレーキパッドをこのブレーキパッドに圧接するブレーキシューを制御することで所定の降下速度に抑制するよう減速させ、固定ローラー、スライドローラー相互間で挟み込むケーブルの降下速度を調整するようにしてあり、
前記ブレーキ手段は、器枠ベースに支承された制動軸と、固定ローラーと同期回転するよう制動軸に設けたドラム状のブレーキパッドと、器枠ベースに設けた制動操作部の操作で外方に向かって移動してブレーキパッドの内周面に圧接されるよう制動軸の周囲に設けてブレーキパッドの内周に配したブレーキシューとを備え、
前記ブレーキパッドは、制動軸に設けた制動スプロケット歯車に固着されている伝動盤に固定されていて、制動スプロケット歯車は、固定ローラー軸に固着されている被制動スプロケット歯車と制動チェーンによって掛巡して同期回転するようにしてあり、
前記ブレーキシューは、制動操作部の操作によって揺動牽引されるスイングアームに一体状に形成されて、制動軸に嵌め合わせてあるカム盤と、このカム盤の周囲に配されて、カム盤の回転によって内外方向に沿って移動されることでブレーキシューをその内周から拡開あるいは縮小させる複数の転動コロとによって、ブレーキパッドに圧接あるいは離反されるようにしてあると共に、
制動軸に固着した制動スプロケット歯車と、固定ローラー軸に固着されている被制動スプロケット歯車との間で掛巡した制動チェーンによって制動軸と固定ローラー軸とは同期回転するようにしてあり、
前記制動操作部は、器枠ベースに進退自在にねじ込まれた調整ネジと、この調整ネジによって揺動されるよう器枠ベースに揺動自在に支持された揺動アームと、この揺動される揺動アームによって牽引あるいは押し戻され、カム盤に一体形成のスイングアームに連繋されているリンクバーとを備えて成る、
ことを特徴とする操出ケーブル用加速防止の張力調整装置。